(57)【要約】【課題】  植物等のさまざまな自然物や、異なる自然材料で作成するジグソーパズル作成シートがあると、個人の個性が発揮でパズル作成の楽しみと、作成後の組合せの楽しみ、さらに装飾の楽しみを解決できる。これらを解決する自然物ジグソーパズル作成シート【解決手段】  植物の葉、花、皮、幹、枝、根、および石、鉱物などの自然物が、簡単に埋め込みできる合成樹脂をサンド中心にし、材料粘着層シート、透明合成樹脂フィルムそして透明樹脂や琥珀等の層、さらに線記入してあるフィルム層による、自然物ジグソーパズル作成シートにより得る。ジグソーパズルのピースは同型でもよく、三角形、四角形、五角形、六角形など、大きさも異なる多角形、円形その他の形を、同一パズル内の構成型とする。【選択図】図１
2006187581.tif 000002
【特許請求の範囲】
【請求項１】
そのまま、もしくは乾燥させた植物等の、葉、花、皮、枝、幹、根、石、鉱物等や紙布など、材料にかかわらず自然物の材料を利用して、貼り付けや挿入してのジグソーパズルを、作成するための、線記入フィルム、粘着剤層、透明合成樹脂フィルムや天然成分及び合成樹脂体等の多層体で構成された接着装着のシートである。
また、自由な接着剤でも装着できるように接着剤を別にする方法も選択できるようにそのまま、もしくは乾燥させた植物等の、葉、花、皮、幹、枝、石、鉱物等などその他材料にかかわらず、ジグソーパズルの、自然物絵画材料を挿入接着作成するための、天然成分、合成樹脂等のシートである。
なお、このシート層の構成は一部省略してもよい。
【請求項２】
そのまま、もしくは乾燥させた植物等の、葉、花、皮、幹、枝、石、鉱物等などその他材料にかかわらず、ジグソーパズルの、自然物絵画材料の自然物が、簡単に埋め込みできるように、合成樹脂をサンド中心にし、材料粘着層シート、透明合成樹脂フィルムそして透明樹脂体や琥珀当の層、さらに線記入してあるフィルム層、線記入できるフィルム層等により構成された、以下の自然物ジグソーパズル作成シート。
なお、このシート層の構成は一部省略してもよい。
（イ）ジグソーパズルを作成するため、通常のパズルのピースの型のように、ピース線をあらかじめ合成樹脂等のシートに記載し、貼り付けた絵画材料等を形に添って切り取れるように補助線を記載形示してあり、植物などの、葉、花、皮、幹、枝、石、鉱物等などその他材料にかかわらず、絵画材料を接着するための合成樹脂等のシート。
（ロ）ジグソーパズルは、四角形、三角形、五角形、六角形その他の多角形や、円形、楕円形その他半円形など等、乾燥させた植物等の葉、花、皮、幹、枝、根、あるいは石、鉱物等それぞれ材料を入れた後、すべて同一の型に切り取れるピース線が記載してある、このシートが切り取れるように、同一形補助線を記載した天然成分及び合成樹脂等の接着装着のシート。
（ハ）ジグソーパズルは、同一の型にこだわらず自由に切り取れ、材料を貼り付けた自由パズルのピースを、はさみ等で自由に切り取れ、合わせ位置がわかりやすいように、補助線を記載している、上記のシート天然成分及び合成樹脂等の、貼りつけ絵画のピースの接着剤付きの装着のシート。
（ニ）完成品のジグソーパズルとなる、異なる型のパズルのピースが、四角形、三角形、五角形、六角形その他の多角形や、円形、楕円形その他半円形など等の中型及び大型の分割シート型にすでに分割してあり、これにそれぞれ自然物植物等を挿入して作成するための、天然成分及び合成樹脂等の接着剤装着のシートである。
以上のごとく構成されたジグソーパズル作成シートである。
【請求項３】
そのまま、もしくは乾燥させた植物等の葉、花、皮、幹、枝、根や、石、鉱物等の自然物、または、紙、布、など、その他、材料にかかわらず、その自然物も使い、絵画作成するために、植物等の貼り付けや、挿入した植物等の材料を固定接着するための、天然及び合成樹脂等の多層の片面もしくは両面のシートである。
また、自由な自然物絵画の作成するための、表面が線記入可能フィルムや、合成樹脂フィルム、中心が天然成分及び合成樹脂等でコートした、自然物材料を接着できるようにする自然物絵画作成のシートである。なお、このシート層の構成は一部省略してもよい。
【発明の詳細な説明】
【技術分野】
【０００１】  本発明は、ジグソーパズル作成シート等に関するものである。
【背景技術】
【０００２】  従来、ジグソーパズルは厚紙または薄い板に絵や写真を印刷してあるものを、これを不規則に切り離し、その断片を合わせて元の絵に復元する遊びである。
近年、可変印刷、立体印刷と称する印刷物が多種提供されているが、自ら自然物を使い作成するためのジグソーパズルシートはない。
【発明の開示】
【発明が解決しようとする課題】
【０００３】  ジグソーパズルは厚紙または薄い板に絵や写真を印刷しているが、元の絵に復元することの楽しみを主としているので、完成画像はすべて、完成された絵の印刷や写真の印刷物である。
このことは、作成者の個性が出現していないことになる。
個人が絵を描くときには、たとえ、同系色でも、微妙に個人個人異なり、個性が生き生きとしている。
ジグソーパズルの完成品を、自然物で自ら作成するためのジグソーパズルを完成する、ジグソーパズルシートはできないかと考えた。
これを解決するため発明したものである。
【課題を解決するための手段】
【０００４】  ジグソーパズルの完成品予定の絵や模範となる写真を基に、ジグソーパズルで完成する場合、自然物の材料を使用することにより、印刷と異なり、同系色でも材料となる植物の葉等の微妙な色、模様等の異なりにより、また自然物の材料を使用することにより、完成したジグソーパズルは、個人の個性が十分発揮でき、装飾効果も高まると考えた。
ジグソーパズルのピース面が、自ら作成する、合成樹脂等により自然物をコーティングするための、ジグソーパズル作成シートが本発明品である。
植物の葉、花、皮、幹、枝、根、および石、鉱物などの自然物が、簡単に埋め込みできる合成樹脂をサンド中心にし、材料粘着層シート、そして透明樹脂や琥珀当の層、さらに線記入してあるフィルム層による、自然物ジグソーパズル作成シートにより得る。【０００５】  作成するジグソーパズルのピースの形は同型を少し変化させてピース構成を楽しむ従来の方法でもよいが、三角形、四角形、五角形、六角形など、大きさも異なる多角形を、同一パズル内の構成型とすることもできる自作シートである。
本発明品は、両面もしくは片面に接着剤、樹脂で葉など自然物を装着及び挿入できる、天然成分及び合成樹脂等の接着剤装着のシートである。
難易度により、形、数が極めて多種に作成できる。
三角形、四角形、五角形、六角形など、異なる多角形やその他の円形等を基本とするのは、ジグソーパズルの完成品がより絵画的な装飾効果をも高めることもできる。
【発明の効果】
【０００６】  この発明品は、色彩豊かな自然物である植物の、葉、花、皮、幹、枝、根などの自然色をそのまま使用することが、安易にすぐ利用できる、自然のエネルギーを取り入れていると感じる、装飾効果が高いジグソーパズルを安易に作成できる。このことにより、さまざまな装飾効果も期待できる。
【発明を実施するための最良の形態】
【０００７】  本発明の実施の形態はつぎのとおりである。（イ）自然物を利用して本発明品を使用し、絵を作製した後、その貼り付け作品をジグソーパズルのピースとして分割完成させる方法と、（ロ）自然物を利用してジグソーパズルのピースと作成するためにすでに分割してある本発明品のジグソーパズルのチップ内で、絵を作成形成した後、パズルを完成し、ジグソーパズル利用する方法がある。
【実施例１】
【０００８】  この発明品を利用し、色彩豊かな自然物である植物の、葉、花、皮、幹、枝、石、鉱物等を利用して枠内に貼り付けもしくは埋め込みして、絵や写真を模範目的完成品としてまたは、自作の絵の作品を発明品シート内で完成させる。
その後、ピース記入線のフィルムに添って、ピースシートをカットし、ピースを作成し、ジグソーパズルのパズルを楽しみ完成する。
【実施例２】
【０００９】  あるいは、作品を完成した後、三角形型、四角形型、五角形型、六角形型など、大きさも異なる多角形の枠の、自由にジグソーパズルのチップとして区分形成してある、記入線のフィルムに添ってカットする。その後ジグソーパズルとして楽しむ。
【実施例３】
【００１０】  この発明品は、自作の構図を形成するときは、貼り付けた絵画材料等を自由な形に添って切り取れるように、補助線を記載形示してあるフィルムにより、自由にピースが作成できる。
【実施例４】
【００１１】  この発明品により、自然物である植物の、葉、花、皮、幹、枝、根を使用したブロックチップを作成する。
このチップは、両面もしくは片面に接着剤で装着または埋め込みできる、天然成分及び合成樹脂等の接着剤装着のシートでもあるので、このチップを絵キャンバスに貼り付け作品を完成させる。
四角形、三角形、五角形、六角形その他の多角形や、円形、楕円形その他半円形など等、乾燥させた植物等の葉、花、皮、幹、枝、根、あるいは石、鉱物等それぞれ材料を入れ発明品に、ピース線が記載してある同一の線に添ってカットしたものを使用する。【００１２】  透明シートの材料としては、ポリ塩化ビニール、ポリカーボネート、ポリエステル、アクリル樹脂、ポリスチレン、ポリプロピレン、ポリエチレン、ＡＢＣ樹脂などの透明あるいは半透明のタイプの化学合成物を用いる。
また、合成樹脂、天然樹脂、琥珀、石英などの透明あるいは半透明のタイプの鉱物など、その他の自然物をも用いる。【００１３】  なお、各ピースを作成するときは、ピース線より少し小さめに切って、側面は乾き易い合成コート剤を塗るほうがよい。
【図面の簡単な説明】
【００１４】
【図１】本発明品断面図（必要に応じ各材料層を省略することもある）
【図２】本発明品ジグソーパズル三角形、四角形、五角形、六角形区分実施形態図
【図３】本発明品ジグソーパズル、線記入済、四角形式実施形態図
【図４】本発明品ジグソーパズル、線記入済、四角及び円形式実施形態図
【符号の説明】
【００１５】    １  線記入フィルム（記入してあるもの、もしくは未記入で作成者が記入する）
２  透明合成樹脂フィルム
３  粘着剤層
４  硬度の高い、合成もしくは天然樹脂体
５  硬度の低い、合成もしくは天然樹脂体
６  透明薄型フィルム（粘着剤を少量つけてもよい）
【図１】
2006187581.tif 000003
【図２】
2006187581.tif 000004
【図３】
2006187581.tif 000005
【図４】
2006187581.tif 000006